(57)【要約】【課題】サーベイメータを用いて測定した値(μSv/h)を、放射性Cs濃度(Bq/kg)に換算するための相関シート、及び該シートによってサーベイメータ測定値(μSv/h)から放射性セシウム濃度(Bq/kg)を簡易で迅速に高精度に算定できる放射性Cs濃度分析方法を提供する。【解決手段】鉛によって構成された遮蔽体内でサーベイメータによってBG値(μSv/h)を測定し、測定対象物の放射線量を測定し、測定結果からBG値を差し引いた値を測定対象物の重量よりkg換算してサーベイメータ測定値(μSv/h/kg)とし、複数の測定対象物についてGe半導体検出器によって測定した放射性Cs濃度値(Bq/kg)とサーベイメータ測定値(μSv/h/kg)とを、放射性Cs濃度値を縦軸に、測定値を横軸にしてプロットし、回帰直線を求め作成した放射性Cs濃度値と測定値との相関を示すグラフからなる、サーベイメータ測定値から放射性Cs濃度値を求める相関シートによって解決される。【選択図】図8
2014020995.tif 000002
【特許請求の範囲】
【請求項１】
サーベイメータによる測定値（μＳｖ／ｈ／ｋｇ）から放射性セシウム濃度（Ｂｑ／ｋｇ）を求めるための相関シートであって、
鉛によって構成された遮蔽体内に前記サーベイメータを設置し、遮蔽体内のバックグラウンド値（μＳｖ／ｈ）を測定し、
次いで、測定対象物が入った試料容器を前記遮蔽体内の前記サーベイメータに近接設置して該サーベイメータによって前記測定対象物の放射線量（μＳｖ／ｈ）を測定し、その測定結果から前記バックグラウンド値を差し引いた値を、前記測定対象物の重量よりｋｇ換算して前記サーベイメータによる測定値（μＳｖ／ｈ／ｋｇ）とし、
複数の前記測定対象物についてゲルマニウム半導体検出器によって測定した放射性セシウム濃度値（Ｂｑ／ｋｇ）と前記サーベイメータによって測定した前記測定値（μＳｖ／ｈ／ｋｇ）とを、前記放射性セシウム濃度値を縦軸又は横軸に、前記測定値を横軸又は縦軸にしてプロットし、プロットした値から回帰直線または回帰曲線を求めることで作成された前記放射性セシウム濃度値と前記測定値との相関を示すグラフからなることを特徴とするサーベイメータによる測定値から放射性セシウム濃度値を求める相関シート。
【請求項２】
前記測定対象物の種類毎に作成されていることを特徴とする請求項１記載のサーベイメータによる測定値から放射性セシウム濃度値を求める相関シート。
【請求項３】
前記サーベイメータの種類毎に作成されていることを特徴とする請求項１又は２記載のサーベイメータによる測定値から放射性セシウム濃度値を求める相関シート。
【請求項４】
前記試料容器の種類毎に作成されていることを特徴とする請求項１〜３記載のサーベイメータによる測定値から放射性セシウム濃度値を求める相関シート。
【請求項５】
前記試料容器としてＵ−８容器を用いることにより、前記試料容器は、公定法であるゲルマニウム半導体検出器での測定にそのまま流用が可能であることを特徴とする請求項１〜４記載のサーベイメータによる測定値から放射性セシウム濃度値を求める相関シート。
【請求項６】
放射性セシウム濃度を確認したい濃度確認対象物について、サーベイメータを用いて放射性セシウム濃度を簡易分析するための簡易分析方法であって、
鉛によって構成された遮蔽体の中で、請求項１〜５のいずれかに記載のサーベイメータによる測定値から放射性セシウム濃度値を求める相関シートを作成した際に使用したものと同じサーベイメータを用いて遮蔽体内のバックグラウンド値を測定する工程と、
請求項１〜５のいずれかに記載のサーベイメータによる測定値から放射性セシウム濃度値を求める相関シートを作成した際に使用したものと同じ試料容器に入れた前記濃度確認対象物を、前記遮蔽体内の前記サーベイメータに近接設置して測定した値（μＳｖ／ｈ）から、前記バックグラウンド値（μＳｖ／ｈ）を差し引いた値を求め、その値を前記濃度確認対象物の重量よりｋｇ換算して前記サーベイメータによる測定値（μＳｖ／ｈ／ｋｇ）を得る工程と、
請求項１〜５のいずれかに記載のサーベイメータによる測定値から放射性セシウム濃度値を求める相関シートを用いて、前記測定値を放射性セシウム濃度に換算する工程とを備えることを特徴とするサーベイメータを用いた放射性セシウム濃度の簡易分析方法。
【請求項７】
前記遮蔽体は、複数に分割された鉛ブロックにより構成されることを特徴とする請求項６記載のサーベイメータを用いた放射性セシウム濃度の簡易分析方法。
【発明の詳細な説明】
【技術分野】
【０００１】
本発明は、サーベイメータを用いて測定した値を放射性物質濃度に換算する相関シート及び該シートを用いた放射性セシウム濃度の簡易分析方法に関し、詳しくは、一般的に市販されているサーベイメータを用いて測定した値（μＳｖ／ｈ）を、放射性セシウム濃度（Ｂｑ／ｋｇ）に換算するために用いる相関シート、及び相関シートによって、サーベイメータを用いて測定した値（μＳｖ／ｈ）から放射性セシウム濃度（Ｂｑ／ｋｇ）を簡易で迅速に、高精度に算定できる放射性セシウム濃度分析方法に関する。
【背景技術】
【０００２】
平成２３年３月１１日に発生した東日本大震災に伴い、東京電力福島第一原子力発電所から大量の放射性物質が広範囲に放出された。中でも、放射性セシウム（Ｃｓ）は、東日本広域の土壌に沈着している状況が明らかとなっている。放射性セシウムは比較的半減期が長く（Ｃｓ１３４約２年、Ｃｓ１３７約３０年）、また、食品へ取り込まれ蓄積する傾向があることなどから、長期にわたり周辺環境及び人々の健康に影響を与えると懸念されている。
【０００３】
除染が必要な範囲は極めて広大で、人々の健康への影響を最小限にするためには、汚染状況調査を迅速に行い、除染を効率的に実施することが重要である。
【０００４】
現在、廃棄物処理や、食品の出荷制限など、国によって定められた暫定基準値は放射性セシウム濃度によって定められており、放射性セシウム濃度（Ｂｑ／ｋｇ）の測定には、主にゲルマニウム半導体検出器やＮａＩシンチレーション式ガンマ線スペクトロメータなどのガンマ線スペクトロメータが用いられている。
【０００５】
ガンマ線スペクトロメータは、放射性物質の種類によってガンマ線のエネルギー(ｅＶ)が異なることを利用し、ガンマ線スペクトルを測定することで、ガンマ線を出す放射性物質の種類毎の濃度（Ｂｑ／ｋｇ）を測定するものである。
【０００６】
ゲルマニウム半導体検出器やＮａＩシンチレーション式ガンマ線スペクトロメータの測定手法は、分解能に優れているため定量精度は高いが、大型で冷却に液体窒素が必要となること等から、現場分析には不向きな特徴を有し、基本的には室内（分析室）での分析となる。また、迅速とは言えない一定の時間を要し、測定機器、それに付随するシステム、ソフト等が非常に高額なため、試料１検体あたりの分析費用も高額となっている。
【０００７】
一方、現場の状況や測定の対象によっては、迅速に、且つ現場にて、土壌等の放射性物質濃度（Ｂｑ／ｋｇ）を求められる場面が多く存在する。
【０００８】
放射性物質に汚染されている廃棄物は、国の規定により、８０００Ｂｑ／ｋｇ以上の放射性物質汚染廃棄物は国に廃棄を依頼しなければならない。広大な地域で排出される膨大な廃棄物を、業者はそのつど分析機関に送り、一定の時間後にその結果を得てから、その廃棄物を適切な処理へ移行しなければならず、行き場のない廃棄物が溜まる一方で迅速に処理できないという現状である。
【０００９】
また、農作物を出荷する農家においては、農作物を作付けし、時間と費用をかけて収穫した後、出荷する際に放射性物質濃度を測定し、出荷基準値を満たすかどうか判断している。これは、農地の放射性物質量の測定に時間も費用もかかるため、作付け前に全ての農地における放射性物質量を測定することができず、農地自体、作物栽培が可能であるかどうか判断ができずに、見切り発車するしかない現状があるからである。隣の農地、または同じ敷地内であっても、場所によって土壌の放射性物質量は異なるため、作物によっては、出荷時に基準値を満たしていないことが判明し、出荷できなくなるものも出てくる。もし、費用も高額でなく、簡易に農地の放射性物質量を測定することができれば、農地の広い範囲において放射性物質量が判明し、その数値を基に、作物の種類ごとに異なる放射性物質移行係数を計算することにより、農地によって育てられる作物をある程度予想することができ、無駄な生産が減少するであろう。
【００１０】
しかし、一般的に普及されており、現場で簡易に使用できる測定器は、サーベイメータが主となっており、主に空間放射線量率の測定（μＳｖ／ｈ）や、表面汚染密度の測定（Ｂｑ／ｃｍ２）をその利用目的としているため、サーベイメータでは、放射性物質濃度（Ｂｑ／ｋｇ）の値は測定できない。
【００１１】
厚生労働省ホームページに掲載されている“除染等業務に従事する労働者の放射線障害防止のためのガイドライン”（非特許文献１）には、除染等業務に労働者を従事させる際に、汚染土壌等が基準値（１万Ｂｑ／ｋｇ又は５０万Ｂｑ／ｋｇ）を超えるかどうかを判定し、必要となる放射線防護措置を決定するために実施する方法として、サーベイメータで測定したＳｖ値（μＳｖ／ｈ）をＢｑ値（Ｂｑ／ｋｇ）へ換算する計算方法が示されている。
【００１２】
しかし、上記の計算方法は、使用するサーベイメータや、周辺環境など、現場によって様々に異なる要素がある中、一定の計算方法を用いているために、異なる要素による影響を排除できずに、求めた放射性セシウム濃度値の精度に欠けるという問題がある。
【００１３】
この方法は、放射性物質濃度が１万Ｂｑ／ｋｇや５０万Ｂｑ／ｋｇをしきい値として分析対象物を区分するための指標の一つとして計算するのであれば、概ね充分な判断材料となりえると考えられている。しかし、例えば、上述した廃棄物の処理等において、ゲルマニウム半導体検出器を使って精密検査をする必要があるかないかを判断するための簡易検査（スクリーニング分析）に公的に使用することは認められていない。
【００１４】
サーベイメータによって測定した値で、放射性セシウム濃度を高精度に算定することができれば、スクリーニング分析として使用が認められ、放射性セシウム濃度を測定する必要がある処理が滞ることなく行なうことができ、その分析に高額な費用もかからないと考えられる。
【先行技術文献】
【非特許文献】
【００１５】
【非特許文献１】厚生労働省ホームページ、“除染等業務に従事する労働者の放射線障害防止のためのガイドライン”、[平成２４年６月２９日検索]、インターネットＵＲＬ：http://www.mhlw.go.jp/new-info/kobetu/roudou/gyousei/anzen/dl/120118-01.pdf
【発明の概要】
【発明が解決しようとする課題】
【００１６】
前記したように、現場で使用できるサーベイメータによって測定できるＳｖ値（μＳｖ／ｈ）のＢｑ値（Ｂｑ／ｋｇ）への換算は、安易に計算できるものではなく、計算式を用いて換算したとしても、精度に欠ける。サーベイメータによる測定値は再現性が低く簡単に変化するし、バックグラウンドの問題などから、正確性に欠けるといった問題が残る。単純に、バックグラウンド値を予め測定し、その値を対象物の測定値から差し引いて、バックグラウンドの影響を受けていない値を求めようとしても、バックグラウンドの値が高い値であると測定値に誤差が出てしまう可能性があり、精密さに欠ける。
【００１７】
本発明者は、測定時のバックグラウンドの問題を解決するために、持ち運び可能な鉛の遮蔽物でサーベイメータならびに測定試料を覆い、放射線量（μＳｖ／ｈ）を測定することとした。
【００１８】
また、サーベイメータの指示値（μＳｖ／ｈ）が、サーベイメータの放射線指向特性、測定対象物を充填する試料容器の形状・大きさ、サーベイメータと試料の配置関係等によって異なる点に着目し、再現性がある測定方法を見出した。そして、試料容器を特定し、サーベイメータと試料の配置を特定することで、サーベイメータの種類ごとに、μＳｖ／ｈ値をＢｑ／ｋｇに換算できる検量線を作成し、対象試料の放射性物質濃度（Ｂｑ／ｋｇ）を、既存のサーベイメータを用いて簡易に、高精度で算定することを可能とした。
【００１９】
そこで、本発明は、一般的に市販されているサーベイメータを用いて測定した値（μＳｖ／ｈ）を、放射性セシウム濃度（Ｂｑ／ｋｇ）に換算するために用いる相関シート、及び相関シートによって、サーベイメータを用いて測定した値（μＳｖ／ｈ）から放射性セシウム濃度（Ｂｑ／ｋｇ）を簡易で迅速に、高精度に算定できる放射性セシウム濃度分析方法を提供することを課題とする。
【００２０】
また本発明の他の課題は、以下の記載により明らかとなる。
【課題を解決するための手段】
【００２１】
上記課題は以下の各発明によって解決される。
【００２２】
１．
サーベイメータによる測定値（μＳｖ／ｈ／ｋｇ）から放射性セシウム濃度（Ｂｑ／ｋｇ）を求めるための相関シートであって、
鉛によって構成された遮蔽体内に前記サーベイメータを設置し、遮蔽体内のバックグラウンド値（μＳｖ／ｈ）を測定し、
次いで、測定対象物が入った試料容器を前記遮蔽体内の前記サーベイメータに近接設置して該サーベイメータによって前記測定対象物の放射線量（μＳｖ／ｈ）を測定し、その測定結果から前記バックグラウンド値を差し引いた値を、前記測定対象物の重量よりｋｇ換算して前記サーベイメータによる測定値（μＳｖ／ｈ／ｋｇ）とし、
複数の前記測定対象物についてゲルマニウム半導体検出器によって測定した放射性セシウム濃度値（Ｂｑ／ｋｇ）と前記サーベイメータによって測定した前記測定値（μＳｖ／ｈ／ｋｇ）とを、前記放射性セシウム濃度値を縦軸又は横軸に、前記測定値を横軸又は縦軸にしてプロットし、プロットした値から回帰直線または回帰曲線を求めることで作成された前記放射性セシウム濃度値と前記測定値との相関を示すグラフからなることを特徴とするサーベイメータによる測定値から放射性セシウム濃度値を求める相関シート。
【００２３】
２．
前記測定対象物の種類毎に作成されていることを特徴とする前記１記載のサーベイメータによる測定値から放射性セシウム濃度値を求める相関シート。
【００２４】
３．
前記サーベイメータの種類毎に作成されていることを特徴とする前記１又は２記載のサーベイメータによる測定値から放射性セシウム濃度値を求める相関シート。
【００２５】
４．
前記試料容器の種類毎に作成されていることを特徴とする前記１〜３記載のサーベイメータによる測定値から放射性セシウム濃度値を求める相関シート。
【００２６】
５．
前記試料容器としてＵ−８容器を用いることにより、前記試料容器は、公定法であるゲルマニウム半導体検出器での測定にそのまま流用が可能であることを特徴とする前記１〜４記載のサーベイメータによる測定値から放射性セシウム濃度値を求める相関シート。
【００２７】
６．
放射性セシウム濃度を確認したい濃度確認対象物について、サーベイメータを用いて放射性セシウム濃度を簡易分析するための簡易分析方法であって、
鉛によって構成された遮蔽体の中で、前記１〜５のいずれかに記載のサーベイメータによる測定値から放射性セシウム濃度値を求める相関シートを作成した際に使用したものと同じサーベイメータを用いて遮蔽体内のバックグラウンド値を測定する工程と、
前記１〜５のいずれかに記載のサーベイメータによる測定値から放射性セシウム濃度値を求める相関シートを作成した際に使用したものと同じ試料容器に入れた前記濃度確認対象物を、前記遮蔽体内の前記サーベイメータに近接設置して測定した値（μＳｖ／ｈ）から、前記バックグラウンド値（μＳｖ／ｈ）を差し引いた値を求め、その値を前記濃度確認対象物の重量よりｋｇ換算して前記サーベイメータによる測定値（μＳｖ／ｈ／ｋｇ）を得る工程と、
前記１〜５のいずれかに記載のサーベイメータによる測定値から放射性セシウム濃度値を求める相関シートを用いて、前記測定値を放射性セシウム濃度に換算する工程とを備えることを特徴とするサーベイメータを用いた放射性セシウム濃度の簡易分析方法。
【００２８】
７．
前記遮蔽体は、複数に分割された鉛ブロックにより構成されることを特徴とする前記６記載のサーベイメータを用いた放射性セシウム濃度の簡易分析方法。
【発明の効果】
【００２９】
本発明によると、一般的に市販されているサーベイメータを用いて測定した値（μＳｖ／ｈ）を、放射性セシウム濃度（Ｂｑ／ｋｇ）に換算するために用いる相関シート、及び相関シートによって、サーベイメータを用いて測定した値（μＳｖ／ｈ）から放射性セシウム濃度（Ｂｑ／ｋｇ）を簡易で迅速に、高精度に算定できる放射性セシウム濃度分析方法を提供することができる。
【図面の簡単な説明】
【００３０】
【図１】本発明において好ましく用いられる試料容器の一例を示す斜視図
【図２】本発明において好ましく用いられる上部開放状態の遮蔽体の斜視図
【図３】遮蔽体内にサーベイメータを設置した状態を示す平面図
【図４】（ａ）はサーベイメータに試料容器を設置する際に好ましく用いられる補助具を示す斜視図、（ｂ）は使用状態を示す側面図
【図５】サーベイメータの一例を示す平面図
【図６】上部に蓋をした測定状態の遮蔽体の斜視図
【図７】遮蔽体内のサーベイメータに試料容器を設置した状態を示す平面図
【図８】本発明に係る相関シートの一例を示す図
【図９】本発明に係る相関シートの相関検量線がサーベイメータの種類によって異なることを示す図
【図１０】本発明に係る相関シートの相関検量線が試料容器の種類によって異なることを示す図
【発明を実施するための形態】
【００３１】
以下、本発明の実施の形態について説明する。
【００３２】
サーベイメータは、一般に市販されて入手も容易であり、コンパクトで携帯性に優れる測定器が使用でき、例えばクリアパレス社製Ａ２７００（商品名「Ｍｒ．Ｇａｍｍａ」）、堀場製作所社製ＰＡ−１０００（商品名「Ｒａｄｉ」）等がある。
【００３３】
測定対象物（濃度確認対象物）は測定のために試料容器に充填される。試料容器が変われば、相関シートにおけるＢｑ／ｋｇ−Ｓｖ／ｈ／ｋｇの相関検量線の傾きが変化すると予測されるため、本発明に係る相関シートの作成の際及び放射性セシウム濃度の簡易分析を行う際、分析誤差の影響を排除するためにも、測定対象物（濃度確認対象物）を充填する試料容器はいずれも同一の容器（同一サイズ、同一規格）を用いる。
【００３４】
このため、試料容器は、測定に支障がなく、誰でも容易に入手可能であり、サイズが規格によって一定である市販の容器を用いることが好ましく、特に食材保存用途等として家庭でも一般に用いられている合成樹脂（ポリプロピレン、ポリスチレン、ポリエチレン、アクリル等）製の蓋付き容器を好ましく用いることができる。図１にはこの蓋付き容器からなる試料容器１を示している。蓋１ａは容器本体１ｂに対してねじ込み式のものが特に好ましい。
【００３５】
試料容器１の大きさは各測定時に統一されていれば特に制限はないが、サーベイメータによる測定時に、後述する遮蔽体をできる限りコンパクトにできると共に、その遮蔽体内に設置されるサーベイメータに容易に近接設置させることができるようにする観点から、Ｕ−８容器（容量１００ｍｌ、径５６ｍｍ、高さ６８ｍｍ）や、１００〜２５０ｍｌ程度の容量をもつ市販のポリエチレン容器等を用いることが好ましい。大きさが統一されることで、各測定時の測定対象物（濃度確認対象物）の量をほぼ均一化できる。
【００３６】
これらＵ−８容器等であれば、サーベイメータの幅とほぼ同一幅もしくはそれよりも小幅となるため、遮蔽体が無駄に大型化することはない。
【００３７】
また、試料容器１として市販の容器を用いることは、測定依頼元が簡単に準備でき、測定対象物（濃度確認対象物）を別の容器に移し変えることなくそのまま放射線測定ができる利点がある。
【００３８】
さらに、試料容器１としてＵ−８容器を用いれば、求められた放射性セシウム濃度の値が、国で定める放射性物質濃度暫定基準値付近の値を示すことでさらに正確な分析が必要になった場合、試料容器１を移し変えることなく、そのままゲルマニウム半導体検出器による分析を行なう分析機関に送ることができる。測定対象物（濃度確認対象物）を別の容器を移し変えることは、試料容器１内の測定対象物に含まれる放射性物質が不均一に存在していた場合、移し変え時に高い放射線を発する部位が取り除かれてしまったり、容器内での放射性物質の分布状況が変化することにより、分析の再現性がとれなくなる可能性があるため好ましくない。
【００３９】
本発明において、サーベイメータによる測定の際、測定器によってはバックグラウンド値（外部環境からの放射線の値）が高い値の場合、測定結果に誤差が出る可能性があるため、外部環境からの放射線の影響を排除するために全周囲を鉛で完全に遮蔽した状態で行う。
【００４０】
鉛は重量物であるため、測定対象物（濃度確認対象物）を採取した現場で容易に測定できるようにするため、複数に分割された鉛ブロックを用いることが好ましい。図２は、複数の鉛ブロック２を箱状に積み上げることにより構成された遮蔽体３を示している。ここでは遮蔽体３の上方に配置される２つの鉛ブロック２、２を取り外して上方が開放された状態（測定前の状態）を示している。このように遮蔽体３を複数に分割された鉛ブロック２によって構成することで、遮蔽体３の現場への運搬が容易となり、また、遮蔽体３を現場で組立て及び分解可能とすることができ、作業性が良好となる。
【００４１】
一般にバックグラウンド値を１／１００にするために必要な鉛の厚さは、４．５ｃｍ程度とされているため、本発明においては厚さ５ｃｍ程度の鉛ブロック２を好ましく使用することができ、具体的な鉛ブロック２の一例を挙げると、１０ｃｍ×２０ｃｍ×５ｃｍのものが挙げられる。図２ではこの鉛ブロック２を１０個組合せることにより遮蔽体３を構成している。鉛の厚さは、測定地点におけるバックグラウンド値に応じて調整することも可能である。
【００４２】
なお、図２に示したように、複数の鉛ブロック２によって遮蔽体３を構成する場合、少なくとも遮蔽体３の蓋として使用する部分の鉛ブロック２には、簡単に持ち上げられるように取っ手２ａを設けておくことが好ましい。
【００４３】
サーベイメータ４は、図３に示すように、上方が開放された状態の遮蔽体３内に検出センサーが配置される部位４ａが上向きとなるように配置される。測定対象物（濃度確認対象物）の測定時は、この検出センサーが配置される部位４ａに、測定対象物が充填された試料容器１を設置する。
【００４４】
一般にサーベイメータ４には指向性があるため、測定対象物（濃度確認対象物）が充填された試料容器１は、その指向性に応じた位置、具体的には検出センサーが配置される部位４ａに近接して設置する。これにより放射性物質から発せられる放射線が測定対象物（濃度確認対象物）に自己吸収されてしまうなどして、位置関係によって測定値がその都度変化してしまうことを防ぐことができる。
【００４５】
なお、近接して設置するとは、試料容器１の底面を検出センサーが配置される部位４ａに密接させて設置する場合のみならず、試料容器１の底面が該部位４ａに非接触となるように設置する場合も含む。
【００４６】
サーベイメータ４による放射線量の測定は、得られる値にばらつきがあることが一般的に知られており、間隔をあけて数回行い、その平均値を放射線量値とすることが好ましい。
【００４７】
また、測定時の試料容器１はサーベイメータ４の検出センサーに対して常に一定の位置関係に置かれることが望ましいため、遮蔽体３内において試料容器１をサーベイメータ４に対して一定位置に近接して位置決めするための補助具を用いることも好ましい。
【００４８】
図４は、蓋付き容器である試料容器１に用いることができる補助具５の一例を示している。この補助具５は、内径が試料容器１の容器本体１ｂの外径よりも大きく、蓋１ａの外径よりも小さい環状支持部５ａと、この環状支持部５ａを支える２本の脚部５ｂ、５ｂとからなっている。２本の脚部５ｂ、５ｂは、その間にサーベイメータ４を配置可能となるように離間していると共に、その高さは、環状支持部５ａによって試料容器１が支持された際に該試料容器１の底面がサーベイメータ４の表面（検出センサーが配置される部位４ａ）に対して一定の離間距離で近接するように形成されている。
【００４９】
この補助具５を、環状支持部５ａの中心がサーベイメータ４の検出センサーが配置される部位４ａと一致するように遮蔽体３内に配置した後、環状支持部５ａに試料容器１を装着すると、容器本体１ｂは挿通するが、蓋１ａは挿通しないためこの環状支持部５ａによって蓋１ａの部分が下側から支持される。これにより試料容器１をサーベイメータ４の検出センサーの真上の常に一定高さに位置決めして近接して配置させることができる。
【００５０】
特に、サーベイメータ４の種類によっては、その表面形状が平坦でないことにより検出センサーの表面に常に一定位置で安定に近接設置できなくなる場合も想定されるが、この補助具５を用いることで、このような事態を回避することができる。
【００５１】
本発明に係る相関シートは、複数の測定対象物について、ゲルマニウム半導体検出器によって測定した放射性セシウム濃度値（Ｂｑ／ｋｇ）とサーベイメータ４によって測定された放射線量の測定値（μＳｖ／ｈ／ｋｇ）とを、いずれか一方を縦軸、他方を横軸にとってプロットし、プロットした値から回帰直線または回帰曲線を求めることで作成された放射性セシウム濃度値（Ｂｑ／ｋｇ）と放射線量の測定値（μＳｖ／ｈ／ｋｇ）との相関を示すグラフからなる。
【００５２】
複数の測定対象物とは、同一種類の測定対象物の試料を複数採取することを意味し、例えば測定対象物が土壌である場合、性状が類似し、放射性セシウム濃度が異なる複数の試料を採取する。採取する試料の数は３検体以上必要だが、相関シートの高精度化の観点から１０検体以上とすることが好ましい。
【００５３】
なお、本発明において、相関シートの「シート」とは、放射性セシウム濃度値と放射線量の測定値との相関関係を、回帰直線または回帰曲線や、二次元的に視認可能に表示したものを指し、紙、フィルム等のシート状物のみならず、データ化されることにより、モニタ画面を有するデスクトップ型、ノート型、タブレット型等のパソコンやその他の携帯端末のモニタ画面上に表示されるものであってもよい。
【００５４】
次に、測定対象物が土壌である場合の具体的な相関シートの作成手順の一例について説明する。ここでは試料容器１として、ポリプロピレン製の蓋付きのＵ−８容器を使用した。
【００５５】
（１）測定対象物である土壌を採取し、試料容器１に充填する（試料Ｎｏ．１）。このときの土壌の重量（ｇ）を測定したところ、１５５．７ｇであった。土壌の含水率は約３０％であった。
【００５６】
（２）図２に示すように、複数の鉛ブロック２を箱状に積み上げ、上部開放状態の遮蔽体３を構成する。
【００５７】
（３）次いで、図３に示すように、サーベイメータ４をその中に設置する。このとき試料容器１は設置しない。ここではサーベイメータ４として、図５に示すクリアパレス社製Ａ２７００（商品名「Ｍｒ．Ｇａｍｍａ」）を用いた。図５において、＋の部位が検出センサーが配置される部位４ａであり、遮蔽体３内においてこの検出センサーが配置される部位４ａが真上を向くように設置する。
【００５８】
（４）サーベイメータ４を設置したら、空の試料容器を簡易式測定器４の検出センサーが配置される部位４ａの真上に位置するように近接して設置し、上部開放状態の遮蔽体３の上部を取っ手２ａ付きの鉛ブロック２で蓋をして、サーベイメータ４の全周囲を図６に示すように完全に遮蔽し、この状態で遮蔽体内のバックグラウンド値を測定する。ここでは、バックグラウンド値は０．００２μＳｖ／ｈであった。
【００５９】
（５）バックグランド値の測定後、蓋部分となる鉛ブロック２を取り外し、図７に示すように、土壌が充填された試料容器１の中心が、遮蔽体３内に設置されているサーベイメータ４の検出センサーが配置される部位４ａの真上に位置するように近接して設置する。このとき、図示しないが図４に示した補助具５を用いてもよい。
【００６０】
（６）次に、再び取っ手２ａ付きの鉛ブロック２で遮蔽体３に蓋をして、サーベイメータ４によって試料容器１内の土壌の放射線量を測定する。測定の結果、土壌の放射線量値は０．０８８μＳｖ／ｈであった。
【００６１】
（７）その後、同じ土壌の放射線量を、１分半ごとに３回、上記（６）と同様の方法で測定を行う。測定結果はそれぞれ０．０８０、０．０８６、０．０８４μＳｖ／ｈであった。
【００６２】
（８）上記（６）及び（７）で測定した計４回分の放射線量値の平均値を求める。平均値は０．０８５μＳｖ／ｈであった。
【００６３】
（９）上記（８）で求めた土壌の平均放射線量値から、上記（４）で測定した遮蔽体内のバックグラウンド値をマイナスして、バックグラウンドの影響を受けていない土壌の放射線量値を求める。その結果、０．０８３Ｓｖ／ｈであった。
【００６４】
（１０）上記（９）で求めた土壌の放射線量値を、上記（１）で測定した土壌の重量に基づいて土壌の放射線量をｋｇ当たりの放射線量に換算し、これをサーベイメータ４による測定値とする。換算後の測定値は、０．５３μＳｖ／ｈ／ｋｇであった。
【００６５】
（１１）同じ土壌試料を試料容器１ごと、分析機関においてゲルマニウム半導体検出器を用いて分析を行い、Ｃｓ１３４とＣｓ１３７の分析値の合計から、放射性セシウム濃度（Ｂｑ／ｋｇ）を求める。この放射性セシウム濃度は６０５３Ｂｑ／ｋｇであった。
【００６６】
（１２）上記と同様の方法によってさらにそれぞれ異なる１１検体の土壌（試料Ｎｏ．２〜１２）を同様に採取して、それぞれ放射性セシウム濃度（Ｂｑ／ｋｇ）とｋｇ換算した放射線量の測定値（μＳｖ／ｈ／ｋｇ）を得る。試料Ｎｏ．２〜１２の土壌は、含水率２０〜４０％の範囲であった。サーベイメータ４、ゲルマニウム半導体検出器による測定結果を表１に示す。
【００６７】
【表１】
2014020995.tif 000003
【００６８】
（１３）各測定結果によるデータを、放射性セシウム濃度（Ｂｑ／ｋｇ）を縦軸とし、放射線量の測定値（μＳｖ／ｈ／ｋｇ）を横軸としてそれぞれプロットし、プロットした値から、回帰直線を得た。また、その際の決定係数はＲ２＝０．９８７７であった。結果を図８に示す。この図８のグラフが本発明に係る相関シートである。
【００６９】
このようにして得られた相関シートは、放射性セシウム濃度を確認したい濃度確認対象物について、その放射線量を相関シートの作成時と同じ試料容器及びサーベイメータを用いて測定し、それにより得られた測定値（μＳｖ／ｈ／ｋｇ）を相関シートに当てはめるだけで、迅速に放射線セシウム濃度（Ｂｑ／ｋｇ）に換算でき、その濃度確認対象物の放射線セシウム濃度を知ることができる。
【００７０】
これにより、例えば、前述の放射性物質汚染廃棄物の廃棄処理方法の基準値８０００Ｂｑ／ｋｇに対して、対象廃棄物が８０００Ｂｑ／ｋｇより大きいか小さいか、あるいは８０００Ｂｑ／ｋｇ付近の値を示すかどうかを迅速に知ることができ、その結果、次に取るべき対応として国に廃棄を依頼するか否か、又は、さらにゲルマニウム半導体検出器による精密分析をする必要があるか否かを迅速に判断することができる。
【００７１】
なお、使用するサーベイメータの種類（メーカー、機種）毎に測定値は若干異なるため、相関シートはサーベイメータの種類毎にそれぞれ作成される。
【００７２】
また、以上は測定対象物（濃度確認対象物）が土壌の場合であるが、その他、農作物等であってもよい。この場合、相関シートは測定対象物（濃度確認対象物）の種類毎にそれぞれ専用の相関シートとして作成される。
【００７３】
さらに、使用する試料容器の種類（容量、形状、樹脂素材）毎に測定値は若干異なるため、相関シートは試料容器の種類毎にそれぞれ作成される。
【００７４】
さらにまた、土壌など、水分を含む測定対象物であって、対象物ごとに、含水率に大きな差がある測定対象物の場合、含水率によって放射線測定器による測定値のｋｇ重量換算値が変化するため、相関シートを若干補正する必要がでてくる。そのため、土壌などを対象に相関シートを作成する場合、または作成した相関シートを使用する際は、含水率をある程度限定する必要があると考える。
【００７５】
上記（１１）の手順は、サーベイメータ４によって測定を行う前に予め行ってもよく、例えば上記（１）の次の手順として行うようにしてもよい。
【００７６】
次に、本発明に係るサーベイメータを用いた放射性セシウム濃度の簡易分析方法について説明する。ここでも放射性セシウム濃度を確認したい濃度確認対象物は、相関シートの作成手順における測定対象物と同様に土壌とした。
【００７７】
（ａ）図６に示すように鉛によって構成された遮蔽体３の中で、相関シート作成時と同じ種類（同一メーカー、同一機種）のサーベイメータ４を用い、遮蔽体内バックグラウンド値を測定する。この工程は、相関シートを作成する際の手順である上記（２）〜（４）と同一の手順で行うことができる。
【００７８】
（ｂ）次に、相関シートを作成した際に使用したものと同じ試料容器１（同一規格、同一サイズ）に充填した、放射性セシウム濃度を確認したい濃度確認対象物である土壌の、ｋｇ当たりに換算した放射線量の測定値（μＳｖ／ｈ／ｋｇ）を求める。この測定値（μＳｖ／ｈ／ｋｇ）を求める手順は、上記（５）〜（１０）と同一の手順で行うことができる。
【００７９】
（ｃ）その後、上記（ｂ）で得られた測定値（μＳｖ／ｈ／ｋｇ）を、土壌用の相関シートに当てはめ、放射性セシウム濃度（Ｂｑ／ｋｇ）を換算して求める。
【００８０】
なお、相関シートを参照した結果の放射性セシウム濃度（Ｂｑ／ｋｇ）の換算値が８０００Ｂｑ／ｋｇ近辺である場合、万全を期すため上記（ａ）〜（ｃ）の手順を複数回繰り返し行うことが好ましい。
【００８１】
このように、本発明に係る簡易分析方法によれば、上記（ａ）〜（ｃ）の工程を経るだけで、サーベイメータの測定値から放射性セシウム濃度を極めて迅速に確認することができる。このため、サーベイメータの利便性を生かして、例えば農地（田畑、水田、牧草地等）の土壌を採取してその場でサーベイメータによって放射線量の測定値（μＳｖ／ｈ／ｋｇ）を求め、それを相関シートと対比するだけで、そのつど分析機関に依頼する必要なく現場で放射性セシウム濃度を確認することが可能となる。
【００８２】
また、測定開始から放射性セシウム濃度の算定までに要する時間は１０分程度で済み、極めて迅速な放射性セシウム濃度の確認が可能である。
【００８３】
さらに、測定に要するコストは、試料容器、サーベイメータ、遮蔽体、解析ソフトのみのコストで済むため、大幅なコスト削減が可能であり、極めて経済的である。
【００８４】
しかも、コストが大幅に削減されることで、それだけ数多くの試料を分析することが可能となる。例えば農地の土壌の放射性セシウム濃度を確認したい場合、従来のように分析機関に分析依頼するとなると、費用も時間もかかるために極めて少量（少数箇所）の土壌の分析しか行うことができず、農家にとっては本当に作物栽培が可能であるのかどうかの大きな不安要因となっていたが、本発明に係る相関シート及びこれを用いた簡易分析方法によれば、迅速且つ極めて低コストに放射性セシウム濃度の確認が行なえるため、広い農地であっても数多くの箇所において試料を採取することによりきめ細かい測定が可能となり、農家にとっての不安要因を払拭することができる。
【００８５】
また、上記（１）〜（１３）と同様の方法で、堀場製作所社製ＰＡ−１０００（商品名「Ｒａｄｉ」）を用いて相関シートを作成し、サーベイメータごとの相関検量線の違いを評価した。
【００８６】
試料には、上記（１）〜（１３）で用いた１２検体の土壌、各約１５０ｇを用いた。
【００８７】
各放射線量測定値（μＳｖ／ｈ）と、計算によって求めた放射線量測定値（μＳｖ／ｈ／ｋｇ）、ゲルマニウム半導体検出器による同じ試料の放射性セシウム濃度（Ｂｑ／ｋｇ）の測定結果を、表２に示す。
【００８８】
【表２】
2014020995.tif 000004
【００８９】
表２の結果に基づき、相関シートを作成した。結果を図９に示す。
【００９０】
測定したデータから計算した決定係数はＲ２＝０．９８２４であった。
【００９１】
図９より、測定方法や試料容器を限定したとしても、サーベイメータの種類によって、相関シートの検量線の傾きが変化することが確認できた。
【００９２】
また、ブランク試料の１０回測定の標準偏差から算出された定量下限値は、クリアパレス社製Ａ２７００にて８００Ｂｑ／ｋｇ、堀場製作所社製ＰＡ−１０００で８００Ｂｑ／ｋｇであり、スクリーニングを目的とする簡易分析法として十分な精度を有すると考えられる。
【００９３】
さらに、上記（１）〜（１３）と同様の方法において、試料容器を容量２５０ｍｌ、幅９５ｍｍ、奥行き８８ｍｍ、高さ３０ｍｍのアクリル製容器に変更し、放射線量の測定を４回から３回と変更した以外は同様の方法で、堀場製作所社製ＰＡ−１０００（商品名「Ｒａｄｉ」）のサーベイメータを用い、土壌（試料Ｎｏ．１３〜２４）を測定対象物として相関シートを作成し、試料容器ごとの相関検量線の違いを評価した。
【００９４】
試料には、１２検体の土壌、各２００ｇを用いた。各土壌の含水率は２０〜４０％の範囲であった。
【００９５】
各放射線量測定値（μＳｖ／ｈ）と、計算によって求めた放射線量測定値（μＳｖ／ｈ／ｋｇ）、ゲルマニウム半導体検出器による同じ試料の放射性セシウム濃度（Ｂｑ／ｋｇ）の測定結果を、表３に示す。
【００９６】
【表３】
2014020995.tif 000005
【００９７】
表３の結果に基づき、相関シートを作成した。結果を図１０に示す。
【００９８】
測定したデータから計算した決定係数はＲ２＝０．９９２３であった。
【００９９】
図１０を図９と比較することにより、測定方法やサーベイメータを限定したとしても、試料容器の種類によって、相関シートの検量線の傾きが変化することが確認できた。
【符号の説明】
【０１００】
１：試料容器
１ａ：蓋
１ｂ：容器本体
２：鉛ブロック
２ａ：取っ手
３：遮蔽体
４：サーベイメータ
４ａ：検出センサーが配置される部位
５：補助具
５ａ：環状支持部
５ｂ：脚部
【図１】
2014020995.tif 000006
【図２】
2014020995.tif 000007
【図３】
2014020995.tif 000008
【図４】
2014020995.tif 000009
【図５】
2014020995.tif 000010
【図６】
2014020995.tif 000011
【図７】
2014020995.tif 000012
【図８】
2014020995.tif 000013
【図９】
2014020995.tif 000014
【図１０】
2014020995.tif 000015